(57)【要約】【課題】テレビ放送の受信システムにおいて、同一周波数帯のテレビ放送電波を受信する受信アンテナを複数使用する場合や、受信端末の設置場所が複数存在する場合に、機器の設置工事を簡単に短時間で行うことができるようにする。【解決手段】受信信号を増幅するブースタ９には、ＶＨＦ受信信号入力用のＶＨＦ入力端子１３と、ＵＨＦアナログ放送及びＵＨＦデジタル放送の各受信信号を入力するためのＵＨＦ入力端子１４、１５と、ＢＳ／ＣＳ−ＩＦ信号入力用のＢＳ／ＣＳ入力端子１６と、２つの出力端子１７、５７とが設けられている。各入力端子１３〜１６に入力された信号は、内部の増幅回路にて適正レベルに増幅されて、２つの出力端子１７、５７から出力され、端末側から出力端子１７、５７に入力された直流電圧は、受信信号から分離されて、電源電圧の生成、及びＢＳ／ＣＳコンバータへの給電に用いられる。【選択図】図２
2008118444.tif 000002
【特許請求の範囲】
【請求項１】
ＵＨＦ帯のテレビ放送の受信信号を入力するためのＵＨＦ入力端子と、
ＢＳ放送及びＣＳ放送の少なくとも一方の受信信号を入力するためのＢＳ／ＣＳ入力端子と、
前記各入力端子に入力された受信信号を増幅する増幅回路と、
該増幅回路にて増幅された受信信号を複数の信号経路に分配又は分岐する分配／分岐手段と、
該分配／分岐手段から前記各信号経路に分配又は分岐された受信信号をそれぞれ出力する複数の出力端子と、
該複数の出力端子に重畳された直流電圧を前記受信信号から分離する電源分離手段と、
該電源分離手段で分離された直流電圧を合成して前記増幅回路又は他の電気負荷へ供給する直流電圧合成手段と、
を備えたことを特徴とするテレビ受信用増幅装置。
【請求項２】
ＶＨＦ帯のテレビ放送の受信信号を入力するためのＶＨＦ入力端子を備え、
前記増幅回路は、前記ＵＨＦ入力端子及び前記ＢＳ／ＣＳ入力端子に入力されたＵＨＦ受信信号及びＢＳ／ＣＳ受信信号に加え、前記ＶＨＦ入力端子に入力されたＶＨＦ受信信号も増幅することを特徴とする請求項１に記載のテレビ受信用増幅装置。
【請求項３】
前記ＵＨＦ入力端子を複数備え、各ＵＨＦ入力端子には、周波数帯域が異なるＵＨＦ受信信号を入力可能に構成されていることを特徴とする請求項１又は請求項２に記載のテレビ受信用増幅装置。
【請求項４】
前記分配／分岐手段から前記各出力端子に至る信号経路の少なくとも一つに、該信号経路を流れる受信信号の信号レベルを調整するための信号レベル調整手段を設けたことを特徴とする請求項１〜請求項３の何れかに記載のテレビ受信用増幅装置。
【請求項５】
前記出力端子の一つは、他の出力端子からの信号出力をモニタするためのモニタ端子であることを特徴とする請求項１〜請求項４の何れかに記載のテレビ受信用増幅装置。
【請求項６】
前記複数の出力端子として、２つの出力端子を備えたことを特徴とする請求項１〜請求項５の何れかに記載のテレビ受信用増幅装置。
【発明の詳細な説明】
【技術分野】
【０００１】
本発明は、テレビ放送の受信信号を増幅するテレビ受信用増幅装置に関する。
【背景技術】
【０００２】
テレビ放送の受信信号を増幅する増幅装置（所謂ブースタ）には、通常、ＶＨＦアンテナ、ＵＨＦアンテナ、ＢＳ／ＣＳアンテナ等、各種テレビ放送電波を受信する受信アンテナからの受信信号をそれぞれ入力するための複数の入力端子が設けられている。そして、ブースタは、これら各入力端子に入力された受信信号を各々増幅して混合し、一つの出力端子から出力するよう構成されている。
【０００３】
また、受信点から見て異なる方向に位置する複数の放送局から送信された同一周波数帯のテレビ放送電波（例えば、ＵＨＦ帯のアナログ放送の放送電波とデジタル放送の放送電波）を受信して端末側に伝送する受信システムでは、これら各放送局に向けて設置した２つのアンテナからの受信信号を混合する混合器が用いられる（例えば、特許文献１等参照）。
【特許文献１】特開２００５−２０１３５号公報
【発明の開示】
【発明が解決しようとする課題】
【０００４】
このため、例えば、図８に示すように、ＶＨＦアンテナ３、第１のＵＨＦアンテナ５、第２のＵＨＦアンテナ６、及びＢＳ／ＣＳアンテナ７を用いて、ＶＨＦ帯のテレビ放送、ＵＨＦ帯のアナログテレビ放送、ＵＨＦ帯のデジタルテレビ放送、及び、ＢＳ／ＣＳ放送を受信する受信システム１０１を構築する場合には、上記各アンテナ３、５、６、７と一緒に、２つのＵＨＦアンテナ５、６からの受信信号を混合するための混合器１０３や、その混合器１０３に入力される不要な信号を除去するためのフィルタ１０２を支柱２に設置し、混合器１０３にて混合されたＵＨＦ信号と、ＶＨＦアンテナ３からの受信信号（ＶＨＦ信号）と、ＢＳ／ＣＳアンテナ７のコンバータ８から出力される受信信号（ＢＳ／ＣＳ信号）とを、それぞれ、同軸ケーブルなどの給電線４を介して、支柱２に別途設けられたブースタ１０４の各信号の入力端子に入力し、そのブースタ１０４にて各受信信号を増幅して端末側に出力することになる。
【０００５】
従って、この場合、支柱２には、アンテナ３、５、６、７、フィルタ１０２、混合器１０３、ブースタ１０４、といった多数の電子機器が設置され、更に、これら各部を接続する給電線４が引き回されることから、支柱２周りの受信点設備がすっきりせず、見栄えが悪いといった問題や、これらの機器を設置する工事が複雑になるといった問題が発生する。また、その工事が複雑になるのに伴い、配線ミスを誘発し易くなり、また、ブースタ１０４から出力される各信号のレベル調整も面倒になる、といった問題が発生する。
【０００６】
一方、ブースタ１０４の出力端子は、一つであることから、図８に示した受信システム１０１のように、ブースタ１０４にて増幅された信号を、異なる部屋に設置されたチューナ６８やテレビ受像機６９、７０に伝送する場合には、ブースタ１０４の出力端子に、例えば２分配器のような分配器６７を接続して、信号の伝送経路を各部屋毎に形成することが行われるが、この場合には、機器を設置する工事が更に複雑になり、これに伴い、配線ミスが誘発し易く、レベル調整もより面倒になる、といった問題が発生する。
【０００７】
本発明は、こうした問題に鑑みなされたものであり、テレビ放送の受信信号を端末側に伝送する受信システムにおいて、同一周波数帯のテレビ放送電波を受信する受信アンテナを複数使用する場合や、受信端末装置の設置場所が複数存在する場合に、機器の設置工事を簡単に短時間で行うことができるようにすることを目的とする。
【課題を解決するための手段】
【０００８】
かかる目的を達成するためになされた請求項１に記載の発明は、各種テレビ放送の受信信号を増幅するテレビ受信用増幅装置であって、ＵＨＦ帯のテレビ放送の受信信号を入力するためのＵＨＦ入力端子と、ＢＳ放送及びＣＳ放送の少なくとも一方の受信信号を入力するためのＢＳ／ＣＳ入力端子と、前記各入力端子に入力された受信信号を増幅する増幅回路と、該増幅回路にて増幅された受信信号を複数の信号経路に分配又は分岐する分配／分岐手段と、該分配／分岐手段から前記各信号経路に分配又は分岐された受信信号をそれぞれ出力する複数の出力端子と、該複数の出力端子に重畳された直流電圧を前記受信信号から分離する電源分離手段と、該電源分離手段で分離された直流電圧を合成して前記増幅回路又は他の電気負荷へ供給する直流電圧合成手段と、を備えたことを特徴とする。
【０００９】
次に、請求項２に記載の発明は、請求項１に記載のテレビ受信用増幅装置において、ＶＨＦ帯のテレビ放送の受信信号を入力するためのＶＨＦ入力端子を備え、前記増幅回路は、前記ＵＨＦ入力端子及び前記ＢＳ／ＣＳ入力端子に入力されたＵＨＦ受信信号及びＢＳ／ＣＳ受信信号に加え、前記ＶＨＦ入力端子に入力されたＶＨＦ受信信号も増幅することを特徴とする。
【００１０】
また、請求項３に記載の発明は、請求項１又は請求項２に記載のテレビ受信用増幅装置において、ＵＨＦ入力端子を複数備え、各ＵＨＦ入力端子には、周波数帯域が異なるＵＨＦ受信信号を入力可能に構成されていることを特徴とする。
【００１１】
また次に、請求項４に記載の発明は、請求項１〜請求項３の何れかに記載のテレビ受信用増幅装置において、前記分配／分岐手段から前記各出力端子に至る信号経路の少なくとも一つに、該信号経路を流れる受信信号の信号レベルを調整するための信号レベル調整手段を設けたことを特徴とする。
【００１２】
また、請求項５に記載の発明は、請求項１〜請求項４の何れかに記載のテレビ受信用増幅装置において、前記出力端子の一つは、他の出力端子からの信号出力をモニタするためのモニタ端子であることを特徴とする。
【００１３】
また更に、請求項６に記載の発明は、請求項１〜請求項５の何れかに記載のテレビ受信用増幅装置において、前記複数の出力端子として、２つの出力端子を備えたことを特徴とする。
【発明の効果】
【００１４】
請求項１に記載のテレビ受信用増幅装置によれば、増幅回路にて増幅された受信信号を出力する出力端子として、複数の出力端子が備えられているので、端末側に、受信信号を伝送すべき場所（部屋）が複数存在する場合に、当該増幅装置の出力端子に分配器や分岐器を接続することなく、必要な伝送経路を形成することができる。
【００１５】
よって、本発明のテレビ受信用増幅装置を利用すれば、受信信号を複数箇所に伝送する受信システムを構築するのに使用する機器の数を少なくして、その設置工事を簡単に短時間で行うことができるようになる。また、テレビ受信用増幅装置から端末側への配線がすっきりし、配線ミスを防止することができる。
【００１６】
また次に、本発明のテレビ受信用増幅装置には、電源分離手段と直流電圧合成手段とが設けられているため、複数の出力端子のいずれか又は全ての出力端子に供給される直流電圧を利用して、増幅回路や他の電気負荷（例えば、ＢＳ／ＣＳ入力端子に接続されたＢＳ／ＣＳアンテナのコンバータ）に電源を供給することができる。
【００１７】
また、１つの出力端子への電源供給系にトラブルが生じても、他の出力端子から電源を供給することができるので、テレビ受信用増幅装置やＢＳ／ＣＳアンテナを通常動作させて、受信信号の伝送を継続することができる。
【００１８】
次に、請求項２に記載のテレビ受信用増幅装置には、ＵＨＦ入力端子及びＢＳ／ＣＳ入力端子に加えて、ＶＨＦ入力端子が設けられており、増幅回路は、ＵＨＦ入力端子及びＢＳ／ＣＳ入力端子に入力されたＵＨＦ受信信号及びＢＳ／ＣＳ受信信号に加え、ＶＨＦ入力端子に入力されたＶＨＦ受信信号も増幅する。このため、本発明のテレビ受信用増幅装置を使用すれば、ＶＨＦ帯の放送電波を使って配信されるアナログ放送の放送信号についても、端末側に伝送することができる。
【００１９】
次に、請求項３に記載のテレビ受信用増幅装置によれば、周波数帯域が異なるＵＨＦ受信信号をそれぞれ入力可能な複数のＵＨＦ入力端子が設けられている。
このため、受信点から見て異なる方向に位置する複数の放送局から送信されたＵＨＦ帯のテレビ放送電波（例えば、地上アナログ放送の放送電波と地上デジタル放送の放送電波）を、それぞれ異なる受信アンテナ（ＵＨＦアンテナ）にて受信し、その受信信号を端末側に伝送する受信システムを構築する際には、各ＵＨＦアンテナからの受信信号を複数のＵＨＦ入力端子にそれぞれ入力すればよく、従来のように、各ＵＨＦアンテナからの受信信号を混合するための混合器やフィルタを別途設ける必要がない。
【００２０】
よって、この請求項３に記載のテレビ受信用増幅装置によれば、受信点から見て異なる方向に位置する複数の放送局から送信されたＵＨＦ帯のテレビ放送電波を受信可能な受信システムを構築するのに使用すれば、その受信システムにて使用する機器の数を少なくして、その設置工事を簡単に短時間で行うことができるようになる。また、各ＵＨＦアンテナからテレビ受信用増幅装置への配線がすっきりし、配線ミスを防止することができる。
【００２１】
また次に、請求項４に記載のテレビ受信用増幅装置には、分配／分岐手段から各出力端子に至る信号経路の少なくとも一つに、その信号経路を流れる受信信号の信号レベルを調整するための信号レベル調整手段が設けられている。
【００２２】
従って、この請求項４に記載のテレビ受信用増幅装置によれば、信号レベル調整手段を操作して受信信号の信号レベルを調整することで、出力端子に接続されたケーブルの長さによる損失や、端末側の伝送経路上に設けられる機器で生じる損失などにより、受信端末装置への受信信号の信号レベルが適正レベルから外れるのを防止することができる。
【００２３】
なお、本発明（請求項１〜請求項４）のテレビ受信用増幅装置においては、複数の出力端子の全てに、端末側に受信信号を伝送するための伝送経路を接続する必要はなく、例えば、請求項５に記載のように、出力端子の一つを、他の出力端子からの信号出力をモニタするためのモニタ端子として使用するようにしてもよい。
【００２４】
そして、このように出力端子の一つをモニタ端子として使用する場合には、そのモニタ端子からの受信信号の出力レベルが、他の出力端子からの出力レベルよりも小さくなるように、分岐手段を介して、出力端子に出力される受信信号の一部をモニタ端子に分岐させるようにするか、或いは、モニタ端子からの受信信号の出力レベルが他の出力端子からの出力レベルに対して所定レベルだけ（例えば２０ｄＢだけ）低くなるよう、モニタ端子への受信信号の伝送経路に減衰器（アッテネータ）を設けるようにするとよい。
【００２５】
また、モニタ端子は、受信信号を端末側へ伝送するための出力端子と兼用することができるが、この場合には、モニタ端子として使用する場合と、出力端子として使用する場合とで、その端子からの受信信号の出力レベルを切り換えることができるようにするとよい。
【００２６】
また本発明（請求項１〜請求項５）のテレビ受信用増幅装置に設けられる出力端子の数は、複数であればいくつでもよいが、テレビ受信用増幅装置が一般家庭で使用されることを考慮すると、請求項６に記載のように出力端子は２つにするとよい。
【００２７】
つまり、このようにすれば、テレビ受信用増幅装置からの受信信号の出力経路を２系統にして、各出力経路を構成するケーブルを建造物内に引き込むことができ、必要であれば、建造物内に引き込んだケーブルに分岐又は分配器を設けて、受信信号を更に複数経路に分離すればよいので、本発明のテレビ受信用増幅装置を一般家庭で使用するのであれば、出力端子の数は２つ程度でよいと考えられる。なお、出力端子の数は、テレビ受信用増幅装置の用途に応じて適宜設定すればよく、２つに限る必要はない。
【発明を実施するための最良の形態】
【００２８】
以下に、本発明を具体化した実施形態の例を、図面を基に詳細に説明する。
図１は、実施形態のテレビ放送の受信システム１全体の構成を表す概略構成図である。
なお、図１に示す受信システム１において、図８に示した従来の受信システム１０１と同様の構成要素については、同一符号を付与している。
【００２９】
図１に示すように、支柱２には、ＶＨＦアンテナ（ＦＭ帯域を含んでも良い）３、第１のＵＨＦアンテナ５、第２のＵＨＦアンテナ６、ＢＳ／ＣＳアンテナ７、及び、本発明のテレビ受信用増幅装置としてのブースタ９が設置され、各アンテナ３、５、６、７の出力は、同軸ケーブル等の給電線４により直接ブースタ９に接続されている。
【００３０】
また、ブースタ９には、出力端子が２つ設けられており、これら各出力端子からの出力（つまり増幅後の受信信号）は、同軸ケーブル等からなる２本の給電線４を介して、住宅の各部屋に設置された受信端末装置（チューナ６８及びテレビ受像機６９、テレビ受像機７０）にそれぞれ伝送される。
【００３１】
なお、ブースタ９には、端末側のチューナ６８やテレビ受像機６９、７０、又は、図示していない電源供給器から、ブースタ９やブースタ９に接続されたＢＳ／ＣＳアンテナ７のコンバータ８に対する低電圧電源として、例えばＤＣ１５Ｖの電源電圧が供給される。
【００３２】
このように本実施形態の受信システム１においては、図８に示した従来の受信システム１０１と同様、支柱２に、ＶＨＦアンテナ３、第１のＵＨＦアンテナ５、第２のＵＨＦアンテナ６、及びＢＳ／ＣＳアンテナ７が設置されるが、これら各アンテナ３、５、６、７からの出力は、それぞれ、専用の給電線４を介して、直接ブースタ９に入力され、しかも、ブースタ９から２つの部屋には、専用の給電線４で増幅後の受信信号が伝送されるので、従来の受信システム１０１に比べて、使用する機器が少なく、給電線４の配線がすっきりしている。
【００３３】
次に図２は、支柱２に設置されたブースタ９を、ケース１０の蓋１１を開けて正面から見た状態を表す正面図である。
以下、この図２を用いて、ブースタ９の入力端子１３〜１６、出力端子１７、５７、入力切り換え、レベル調整などについて説明する。なお、以下の説明において、上方、下方は、図２に対応してブースタ９を支柱２に設置した状態での上方、下方を表すものとする。
【００３４】
図２に示すように、ブースタ９の増幅回路などを収めたシールドケース１２は、ブースタ９のケース１０内に収容されている。このケース１０は、前面が開口した箱状ケースで、その上方には、蓋１１が開閉可能に取り付けられている。
【００３５】
また、ケース１０の下方側壁には、左から順に、ＶＨＦアンテナ３からの受信信号（ＶＨＦ受信信号）を入力するためのＶＨＦ入力端子１３、第１のＵＨＦアンテナ５からの受信信号（アナログ放送のＵＨＦ受信信号：以下、ＵＨＦアナログ信号という）を入力するための第１のＵＨＦ入力端子１４、第２のＵＨＦアンテナ６からの受信信号（デジタル放送のＵＨＦ受信信号：以下、ＵＨＦデジタル信号という）を入力するための第２のＵＨＦ入力端子１５、ＢＳ／ＣＳアンテナ７のコンバータ８から出力されるＢＳ／ＣＳ受信信号（ＢＳ／ＣＳ−ＩＦ信号）を入力するためのＢＳ／ＣＳ入力端子１６、第１の出力端子１７、第２の出力端子５７が配置されている。なお、これらの端子は、Ｆ型の接栓座でシールドケース１２に取り付けられている。
【００３６】
次に、シールドケース１２の左側には、ＶＨＦ受信信号の入力回路に設けたＦＭトラップ回路を「入」又は「切」にするスイッチ１９が設けられている。
これらのスイッチの右側には、ＶＨＦローチャンネル（ＶＨＦ（Ｌ））、ＶＨＦハイチャンネル（ＶＨＦ（Ｈ））、ＵＨＦアナログ、ＵＨＦデジタル、ＢＳ／ＣＳ−ＩＦ（ＣＳ／ＢＳ−Ｉ）の各受信信号の入力レベルを、０ｄＢと−１０ｄＢの２段階に調整可能な第１〜第５の入力レベル調整スイッチ２０、２２、２４、２６、２７が配置されており、これら各スイッチを操作することで、各入力端子に入力された信号レベルを調整できるようになっている。
【００３７】
なお、上記各スイッチ２０、２２、２４、２６、２７による減衰量の切り換えは、０ｄＢと−１０ｄＢの２段階に限らず、減衰量を０ｄＢ、−５ｄＢ、−１０ｄＢとか、０ｄＢ、−１０ｄＢ、−１５ｄＢというように３段階若しくはそれ以上に切り換えることができるように設定してもよい。
【００３８】
次に、上記各スイッチ２０、２２、２４、２６、２７の右側には、ＶＨＦローチャンネル、ＶＨＦハイチャンネル、ＵＨＦ、ＢＳ／ＣＳ−ＩＦの各周波数帯域の受信信号を増幅する際の利得を手動で調整するための第１〜第４の利得調整ボリューム２１、２３、２５、２８が設けられている。
【００３９】
これら各利得調整ボリューム２１、２３、２５、２８は、可変減衰器を構成するものであり、各利得調整ボリューム２１、２３、２５、２８による利得調整範囲（換言すれば減衰量の調整範囲）は、略０〜−１０ｄＢに設定されている。なお、この利得調整範囲は、０〜−１５ｄＢ、０〜−２０ｄＢにしても良い。
【００４０】
また、シールドケース１２の右上には、出力端子１７、５７のいずれか又は両方にブースタ９の電源である低電圧電源が供給されていることを表示するためのランプ（通電表示ＬＥＤ）２９が設けられている。なお、この表示手段はＢＳ／ＣＳ入力端子１６に対する電源供給の有無の表示を兼ねている。
【００４１】
次にシールドケース１２に収納された増幅回路の構成を、図３を用いて説明する。
なお、以下の説明において、ＢＥＦは帯域消去フィルタ（バンドエリミネータ）を表し、ＢＰＦは帯域通過フィルタ（バンドパスフィルタ）を表し、ＬＰＦは低域通過フィルタ（ローパスフィルタ）を表し、ＨＰＦは広域通過フィルタ（ハイパスフィルタ）を表す。
【００４２】
まず第１のＵＨＦ入力端子１４に入力されたＵＨＦアナログ信号は、ＢＰＦ３９を介して、携帯電話通信用信号を阻止するためのＢＥＦ４０に伝送される。なお、携帯電話通信用信号を阻止するための他の方法としては、ＢＥＦ４０の代わりにトラップ回路を設け、それをパネルに設けたスイッチで入り切りさせても良い。
【００４３】
また、第２のＵＨＦ入力端子１５に入力されたＵＨＦデジタル信号は、第４の入力レベル調整スイッチ２６を介してＵＨＦのｃｈ１９〜ｃｈ２１を通過させるＢＰＦ４３に伝送される。
【００４４】
そして、ＢＰＦ４３を通過したＵＨＦデジタル信号と、ＢＰＦ３９及びＢＥＦ４０を通過したＵＨＦアナログ信号は互いに混合されて、第３の入力レベル調整スイッチ２４に入力され、第３の入力レベル調整スイッチ２４、ＵＨＦのｃｈ１３〜ｃｈ６２の信号（つまりＵＨＦ受信信号）を増幅可能な増幅器４１、第３の利得調整ボリューム２５（詳しくは第３の利得調整ボリューム２５にて構成される可変減衰器）、及び、ＵＨＦのｃｈ１３〜ｃｈ６２の信号（つまりＵＨＦ受信信号）を増幅可能な増幅器４２を介して、混合器５６に入力される。
【００４５】
この混合器５６は、ＶＨＦのｃｈ１〜ｃｈ１２（ＦＭを含む）の放送信号（ＶＨＦ受信信号）を通過させるＬＰＦ４４と、ＵＨＦのｃｈ１３〜ｃｈ６２を通過させるＨＰＦ４５とで構成されており、増幅器４２から出力されたＵＨＦ受信信号は、ＨＰＦ４５に入力されることにより、ＬＰＦ４４を通過したＶＨＦ受信信号と混合される。
【００４６】
一方、ＢＰＦ３９、ＢＥＦ４０及びＢＰＦ４３は、ＵＨＦアナログ信号とＵＨＦデジタル信号とを混合する混合器として動作する。ＢＰＦ３９は、全てのＵＨＦテレビ放送チャンネル（ｃｈ１３〜ｃｈ６２）を通過させるものであり、通過周波数帯域は、図４［Ａ］に例示するように、４７０ＭＨｚ〜８１０ＭＨｚに設定されている。
【００４７】
なお、ＢＰＦ３９の通過周波数帯域の上限は７７０ＭＨｚでも良いし、ＢＰＦ３９の代わりに、通過周波数帯域の下限を４７０ＭＨｚとするＨＰＦを用いてもよいが、８１０ＭＨｚより高い周波数が携帯電話の通信に使用されているため、本実施形態では、この妨害を避けるため、通過周波数帯域が４７０ＭＨｚ〜８１０ＭＨｚのＢＰＦを用いるようにしている。
【００４８】
また、ＢＥＦ４０の阻止周波数帯域は、図４［Ｂ］に示すように、５０６ＭＨｚ〜５２４ＭＨｚに設定されており、ＢＰＦ４３の通過周波数帯域は、図４［Ｃ］に示すように、５０６ＭＨｚ〜５２４ＭＨｚに設定されている。なお、これは、大阪地域で地上デジタル放送を受信する場合の例である。
【００４９】
この結果、ＢＰＦ３９、ＢＥＦ４０及びＢＰＦ４３により構成される混合器では、第１のＵＨＦ入力端子１４、第２のＵＨＦ入力端子１５に入力されたＵＨＦアナログ信号及びＵＨＦデジタル信号は干渉されることなく混合される。
【００５０】
なお、第１のＵＨＦ入力端子１４側に設けたＢＰＦ３９及びＢＥＦ４０については、ＢＰＦ３９を、通過周波数帯域の下限を５２４ＭＨｚとするＨＰＦに置き換え、ＢＥＦ４０を、通過周波数帯域の上限を５０６ＭＨｚとするＬＰＦに置き換えても良い。
【００５１】
つまり、地上デジタル放送の放送チャンネルは、多く地域でＵＨＦ帯域の下方に集まっているため、これら各フィルタの通過周波数帯域を、それぞれの地域に合わせておけば、ＵＨＦアナログ信号とＵＨＦデジタル信号とを、干渉させることなく最適に混合することができる。
【００５２】
次に、ＶＨＦ入力端子１３に入力されたＶＨＦ受信信号は、ＶＨＦのｃｈ１〜ｃｈ３（ＦＭ放送信号を含んでも良い）を通過させるＬＰＦ３１と、ＶＨＦのｃｈ４〜ｃｈ１２を通過させるＨＰＦ３５とで構成される分波器５３に伝送されて、ＶＨＦ（Ｌ）信号とＶＨＦ（Ｈ）信号とに分波される。なお、この分波器５３は、ＬＰＦ３１、ＨＰＦ３５に換えて、ＶＨＦのｃｈ１〜ｃｈ３を通過させるＢＰＦと、ＶＨＦのｃｈ４〜ｃｈ１２を通過させるＢＰＦとで構成してもよい。
【００５３】
分波器５３のＬＰＦ３１を通過したＶＨＦ（Ｌ）信号は、ＦＭ放送信号抑圧用のＦＭトラップ回路３２とこのＦＭトラップ回路３２を「入」又は「切」にするスイッチ１９とで構成される入力回路、第１の入力レベル調整スイッチ２０、及び、第１の利得調整ボリューム２１（詳しくは第１の利得調整ボリューム２１にて構成される可変減衰器）を介して、増幅器３３に入力される。
【００５４】
この増幅器３３は、周波数が７６ＭＨｚ〜１０８ＭＨｚの信号（つまりＦＭラジオ放送の受信信号を含むＶＨＦ（Ｌ）信号）を増幅可能に構成されており、この増幅器３３にて増幅されたＶＨＦ（Ｌ）信号は、混合器５４へ伝送される。
【００５５】
一方、分波器５３のＨＰＦ３５を通過したＶＨＦ（Ｈ）信号は、第２の入力レベル調整スイッチ２２、及び、第２の利得調整ボリューム２３（詳しくは第２の利得調整ボリューム２３にて構成される可変減衰器）を介して、増幅器３７に入力される。
【００５６】
この増幅器３７は、ＶＨＦのｃｈ４〜ｃｈ１２の信号（つまりＶＨＦ（Ｈ）信号）を増幅可能に構成されており、この増幅器３７にて増幅されたＶＨＦ（Ｈ）信号は、混合器５４へ伝送される。
【００５７】
混合器５４は、ＶＨＦのｃｈ１〜ｃｈ３（ＦＭ放送信号を含んでも良い）を通過させるＬＰＦ（又はＢＰＦ）３４とＶＨＦのｃｈ４〜ｃｈ１２を通過させるＨＰＦ（又はＢＰＦ）３８とで構成されており、各増幅器３３、３７にて増幅されたＶＨＦ（Ｌ）信号及びＶＨＦ（Ｈ）信号は、それぞれＬＰＦ３４及びＨＰＦ３８に入力されることより互いに混合されて、地上波受信信号として混合器５４から出力される。
【００５８】
そして、この混合器５４から出力されたＶＨＦ受信信号は、混合器５６のＬＰＦ４４に入力され、混合器５６にて、ＵＨＦ受信信号と混合された後、混合器５２に入力される。
また次に、ＢＳ／ＣＳ入力端子１６に入力されたＢＳ／ＣＳ−ＩＦ信号は、１０３２ＭＨｚ〜２６５５ＭＨｚの信号（つまりＢＳ／ＣＳ−ＩＦ信号）を通過させるＨＰＦ（又はＢＰＦ）４７、第５の入力レベル調整スイッチ２７、ＢＳ／ＣＳ−ＩＦ信号を増幅する増幅器４８、第４の利得調整ボリューム２８（詳しくは第４の利得調整ボリュームにて構成される可変減衰器）、及び、ＢＳ／ＣＳ−ＩＦ信号を増幅する増幅器４９を介して、混合器５２に入力される。
【００５９】
混合器５２は、ＶＨＦ受信信号及びＵＨＦ受信信号（地上波受信信号）を通過させるＬＰＦ（又はＢＰＦ）５０と、ＢＳ／ＣＳ−ＩＦ信号を通過させるＨＰＦ（又はＢＰＦ）５１とで構成されており、混合器５６から出力された地上波受信信号、及び、増幅器４９から出力されたＢＳ／ＣＳーＩＦ信号は、それぞれ、ＬＰＦ５０及びＨＰＦ５１に入力されることにより互いに混合されて、放送受信信号として混合器５２から出力される。
【００６０】
そして、この混合器５２から出力された放送受信信号は、分配／分岐手段としての分配部５８にて２系統に分配されて出力端子１７、５７まで伝送され、各出力端子１７、５７から外部に出力される。
【００６１】
また、分配部５８から各出力端子１７、５７に至る受信信号の伝送系路上には、それぞれ、端末側から各出力端子１７、５７に重畳された直流電圧（約１５Ｖ）を受信信号から分離する電源分離回路５９が設けられている。なお、この電源分離回路５９は、本発明の電源分離手段に相当する。
【００６２】
そして、各電源分離回路５９にて分離された直流電圧は、それぞれ、直流電圧合成手段としてのダイオード６０を介して、電源回路６１に入力され、電源回路６１が各増幅器３３、３７、４２、４９の駆動電圧（直流定電圧：ＤＣ１５Ｖ）を生成するのに用いられる。
【００６３】
また、各電源分離回路５９にて分離された直流電圧は、それぞれ、ダイオード６０を介して、一端がＢＳ／ＣＳ入力端子１６に接続されたＬＰＦ４６の他端に入力される。つまり、各電源分離回路５９にて分離された直流電圧は、ダイオード６０及びＬＰＦ４６を介して、ＢＳ／ＣＳ入力端子１６まで伝送され、ＢＳ／ＣＳ入力端子１６に接続されたＢＳ／ＣＳアンテナ７のコンバータ８に対し、電源電圧として供給される。
【００６４】
なお、ダイオード６０とＬＰＦ４６との接続点には、ランプ（通電表示ＬＥＤ）２９が接続されており、各出力端子１７、５７に接続された電源分離回路５９の少なくとも一方で直流電圧が分離されると、ランプ２９が点灯する。
【００６５】
ここで、ダイオード６０は、出力端子１７から出力端子５７、又は出力端子５７から出力端子１７へと電流が流れるのを阻止するためのものであり、ＬＰＦ４６は、受信信号の通過を阻止し、直流電圧のみを通過させるためのものである。
【００６６】
また、本実施形態では、分配部５８は、図５（ａ）に示すように、２分配回路６４にて構成されている。このため、混合器５２から出力された放送受信信号は、分配部５８にて略均等に２分配され、各電源分離回路５９には、略同レベルで放送受信信号が入力されることになる。
【００６７】
また、電源分離回路５９は、図５（ｂ）に示すように、分配部５８から伝送されてくる放送受信信号を出力端子１７、５７側へ通過させ、端末側から出力端子１７、５７へ入力された直流電圧の通過を遮断するコンデンサ６２と、端末側から出力端子１７、５７へ入力された直流電圧をダイオード６０側へ通過させ、コンデンサ６２を介して出力端子１７、５７へ伝送されてきた放送受信信号のダイオード６０側への通過を阻止するコイル６３とから構成されている。
【００６８】
以上説明したように、本実施形態のブースタ９のシールドケース１２内には、ＶＨＦ（Ｌ）信号、ＶＨＦ（Ｈ）信号、ＵＨＦ受信信号、ＢＳ／ＣＳ−ＩＦ信号を各々増幅する増幅回路（詳しくは増幅器３３、３７、４１、４２、４８、４９）が設けられており、シールドケース１２には、この増幅回路にて増幅された全ての放送受信信号を出力する出力端子として、２つの出力端子１７、５７が設けられている。
【００６９】
そして、これら各出力端子１７、５７は、シールドケース１２に別途設けられたＶＨＦ入力端子１３、第１のＵＨＦ入力端子１４、第２のＵＨＦ入力端子１５、及び、ＢＳ／ＣＳ入力端子１６と共に、シールドケース１２を収納したブースタ９のケース１０から突出されている。
【００７０】
このため、本実施形態のブースタ９によれば、端末側に、上記各受信信号を伝送すべき場所（部屋）が複数存在しても、２つの出力端子１７、５７を利用して、各部屋に設置されたチューナ６８やテレビ受像機６９、７０に受信信号を伝送することができるようになる。
【００７１】
よって、本実施形態のブースタ９を利用すれば、受信信号を複数箇所に伝送する受信システムを構築するのに使用する機器（分配器や分岐器）の数を少なくして、その設置工事を簡単に短時間で行うことができるようになる。また、ブースタ９から端末側への配線がすっきりし、配線ミスを防止することができる。
【００７２】
また、本実施形態のブースタ９には、電源分離手段としての電源分離回路５９や、直流電圧合成手段としてのダイオード６０が設けられており、このダイオード６０を介して取り出される直流電圧を利用して、シールドケース１２内の増幅回路や他の電気負荷（ＢＳ／ＣＳアンテナ７のコンバータ８に電源を供給することができる。このため、本実施形態のブースタ９によれば、例えば、２つの出力端子１７、５７の一方に直流電圧を供給する電源供給系にトラブルが生じても、他の出力端子から電源を供給することができることになり、ブースタ９やＢＳ／ＣＳアンテナ７のコンバータ８を通常動作させて、受信信号の伝送を継続することができる。
【００７３】
また次に、本実施形態のブースタ９には、２つのＵＨＦ入力端子１４、１５が設けられており、これら各ＵＨＦ入力端子１４、１５に周波数が異なるＵＨＦ受信信号を入力すれば、これら各ＵＨＦ受信信号が混合されて増幅されることになる。
【００７４】
このため、本実施形態のブースタ９によれば、受信点から見て異なる方向に位置する複数の放送局から送信されたＵＨＦ帯のテレビ放送電波を受信する受信システムを構築する際には、各放送局からの放送電波を受信する２つのＵＨＦアンテナ５、６からの受信信号を各ＵＨＦ入力端子１４、１５に入力すればよく、従来のように、混合器やフィルタを別途設ける必要がない。
【００７５】
よって、本実施形態のブースタ９によれば、受信点から見て異なる方向に位置する複数の放送局から送信されたＵＨＦ帯のテレビ放送電波を受信する受信システムを構築するに当たって、その受信システムにて使用する機器の数を少なくして、設置工事を簡単に短時間で行うことができるようになる。また、各ＵＨＦアンテナ５、６からブースタ９への配線がすっきりし、配線ミスを防止することができる。
【００７６】
また、更に、本実施形態のブースタ９には、各受信アンテナから入力されるＶＨＦ（Ｌ）信号、ＶＨＦ（Ｈ）信号、ＵＨＦアナログ信号、ＵＨＦデジタル信号、及び、ＢＳ／ＣＳ−ＩＦ信号の入力レベル、及び、これら各信号を増幅する際の利得を、それぞれ調整するための入力レベル調整スイッチ２０、２２、２４、２６、２７、及び、利得調整ボリューム２１、２３、２５、２８が設けられているため、これら各受信信号が出力端子１７、５７から出力される際の信号出力レベルを設定することができ、これら各受信信号を端末側に伝送する際の信号レベルを比較的容易に適正レベルにすることができる。
【００７７】
以上、本発明の一実施形態について説明したが、本発明は、上記実施形態に限定されるものではなく、本発明の要旨を逸脱しない範囲内にて、種々の態様をとることができる。
例えば、上記実施形態では、分配／分岐手段としての分配部５８は、２分配回路６４にて構成されるものとして説明したが、この分配部５８は、図６（ａ）に示すように、分岐回路６６にて構成してもよい。
【００７８】
また、このように分配部５８を分岐回路６６にて構成する場合、図６（ｂ）に示すように、その分岐端子から出力端子１７に至る受信信号の伝送経路上に、出力端子１７からの受信信号の出力レベルが出力端子５７から出力される受信信号に対して予め設定された設定レベル（例えば、２０ｄＢ）だけ低くなるように受信信号を減衰させる減衰器８０と、受信信号をこの減衰器８０を通過させるか否かを切り換える経路切換スイッチ８２とを設けるようにしてもよい。
【００７９】
そして、このようにすれば、経路切換スイッチ８２を、受信信号が減衰器８０にて減衰される側に切り換え、出力端子１７から、減衰器８０を通過した受信信号を出力させることにより、出力端子１７を、出力端子５７からの信号出力及びその信号レベルをモニタするためのモニタ端子として利用することができる。
【００８０】
また、この場合、経路切換スイッチ８２を、受信信号が減衰器８０をバイパスさせる側に切り換えれば、出力端子１７を、通常の出力端子として利用することもできる。なお、この減衰器８０や経路切換スイッチ８２は、分配部５８を分配回路６４にて構成した場合（図５（ａ）参照）に設けるようにしても、同様の効果を得ることができる。
【００８１】
一方、図６（ｃ）に示すように、分配部５８から各出力端子１７、５７側の電源分離回路５９に至る受信信号の伝送経路上には、それぞれ、受信信号の信号レベル（各出力端子１７、５７からの信号出力レベル）を調整するための可変減衰器６５を設けるようにしてもよい。なお、この可変減衰器６５は、本発明の信号レベル調整手段に相当する。
【００８２】
そして、このようにすれば、出力端子１７、５７に接続される給電線４の長さによる信号損失に応じて、各出力端子１７、５７からの信号出力レベルを設定することができ、受信システムを構築する際のレベル調整作業をより簡単に行うことができるようになる。
【００８３】
また、上記実施形態では、ブースタ９に設ける出力端子の数は２つであるとして説明したが、出力端子の数は、更に増やしてもよい。また、上記実施形態では、ＢＳ／ＣＳ−ＩＦ信号の周波数帯域は、１０３２ＭＨｚ〜２６５５ＭＨｚであるとして説明したが、その周波数帯域の上限は、２６０２ＭＨｚであっても或いは２６１０ＭＨｚであってもよい。つまり、出力端子の数や上述した各種フィルタの通過周波数帯域、阻止周波数帯域等は、ブースタ９を使用する受信システムに応じて適宜設定すればよい。
【００８４】
なお、出力端子の数を更に増加させる場合、分配部５８は、受信信号を出力端子の数に応じて分配する分配回路６４にて構成してもよく、或いは、複数の分岐回路６６にて構成してもよく、或いは、分配回路６４と分岐回路６６とを適宜組合わせて構成してもよい。
【００８５】
また次に、上記実施形態のブースタ９は、ＶＨＦやＵＨＦのアナログ放送電波を受信して、その受信信号を端末側に伝送するシステムを構築するのに使用できるが、放送政策により、テレビの地上波放送は、将来、デジタル放送だけになる。そして、この場合には、ＶＨＦの増幅器３３、３７は不要になるため、電源回路６１から各増幅器３３、３７への直流電源の供給を止めるための電源遮断スイッチを設けるようにしてもよい。
【００８６】
そして、このようにすれば、アナログ放送が終了した際に、電源遮断スイッチを介して、増幅器３３、３７への電源供給を遮断することができるため、ブースタ９での不要な電力消費を防止することが可能となる。
【００８７】
一方、テレビ受信用増幅装置としてのブースタを、ＶＨＦのアナログ放送電波を受信する必要のない地域で使用する場合には、図７に示すように、第１実施形態のブースタから、ＶＨＦ入力端子１３、ＦＭトラップ回路３２の「入」／「切」用のスイッチ１９、ＶＨＦ受信信号の入力レベル調整スイッチ２０、２２、ＶＨＦ受信信号の増幅利得調整用の利得調整ボリューム２１、２３、及び、ＶＨＦ受信信号増幅用の回路を除去したブースタ９０を使用するようにすればよい。なお、図７に示すブースタ９０には、２つの出力端子１７、５７からの受信信号の出力レベルを各々調整するための可変減衰器６５が設けられている。
【００８８】
そして、このブースタ９０によれば、テレビの地上波放送が、完全にＵＨＦのデジタル放送に移行された場合にも、そのまま使用することができる。
【図面の簡単な説明】
【００８９】
【図１】実施形態の受信システム全体の構成を表す概略構成図である。
【図２】ブースタに設けられた入／出力端子及び操作用のスイッチ／ボリューム類を表す説明図である。
【図３】ブースタに収納された増幅回路の構成を表すブロック図である。
【図４】ＵＨＦ受信信号の入力系に設けられたフィルタの周波数特性を表す説明図である。
【図５】電源分離回路及び分配部の構成を表す説明図である。
【図６】分配部及び分配部から電源分離回路に至る受信信号伝送系の他の構成例を表す説明図である。
【図７】ブースタの他の構成例を表す説明図である。
【図８】従来の受信システムの構成例を表す概略構成図である。
【符号の説明】
【００９０】
１，１０１…受信システム、２…支柱、３…ＶＨＦアンテナ、４…給電線、５…第１のＵＨＦアンテナ、６…第２のＵＨＦアンテナ、７…ＢＳ／ＣＳアンテナ、８…コンバータ、９，９０，１０４…ブースタ、９…直接ブースタ、１０…ケース、１１…蓋、１２…シールドケース、１３…ＶＨＦ入力端子、１４…第１のＵＨＦ入力端子、１５…第２のＵＨＦ入力端子、１６…ＢＳ／ＣＳ入力端子、１７，５７…出力端子、１９…スイッチ、２０，２２，２４，２６，２７…第１〜第５の入力レベル調整スイッチ、２１，２３，２５，２８…第１〜第４の利得調整ボリューム、２９…ランプ、３１，３４，４４，４６，５０…ＬＰＦ、３５，３８，４５，４７，５１…ＨＰＦ、３９，４３…ＢＰＦ、４０…ＢＥＦ、３２…ＦＭトラップ回路、３３，３７，４１，４２，４８，４９…増幅器、５２，５４，５６…混合器、５３…分波器、５８…分配部、５９…電源分離回路、６０…ダイオード、６１…電源回路、６２…コンデンサ、６３…コイル、６４…分配回路、６５…可変減衰器、６６…分岐回路、６７…分配器、６８…チューナ、６９，７０…テレビ受像機、８０…減衰器、８２…経路切換スイッチ、１０２…フィルタ、１０３…混合器。
【図１】
2008118444.tif 000003
【図２】
2008118444.tif 000004
【図３】
2008118444.tif 000005
【図４】
2008118444.tif 000006
【図５】
2008118444.tif 000007
【図６】
2008118444.tif 000008
【図７】
2008118444.tif 000009
【図８】
2008118444.tif 000010